(57)【要約】【課題】小さい力で操作することができる封緘キャップ及び封緘容器を提供する。【解決手段】容器体の口頸部外面への嵌着用の基筒部１２から上方へ延出する中間筒部１６を、有頂筒状の帽筒部３６に連設させるとともに、前記中間筒部１６の周方向の一部をヒンジ部１８とするとともに、前記中間筒部１６の残りの部分２０に、一対の横向き主分離線２４Ａ、２４Ｂを介して前記基筒部１２及び帽筒部３６と連続する開封バンドＢを形成し、開封バンドＢに前記横向き主分離線２２と並行する横向き補助分離線３０ｂを設け、前記一対の主横向き主分離線の一方２４Ａ及び横向き補助分離線３０ｂの間の第１細帯部分ｂ１と、前記一対の主横向き主分離線の他方２４Ｂ及び横向き補助分離線３０ｂの間の第２細帯部分ｂ３と、これら両細帯部分を連結する折り返し部ｂ２とを設け、第１細帯部分ｂ１の始端部ｅ１に摘み部３２を付設した。【選択図】図１
2019172290.tif 000002
【特許請求の範囲】
【請求項１】
容器体(２)の口頸部(８)外面への嵌着用の基筒部(１２)から上方へ延出する中間筒部(１６)の上周端を、有頂筒状の帽筒部(３６)の下周端に連設させるとともに、
前記中間筒部(１６)の周方向の一部を、前記基筒部(１２)及び帽筒部(３６)を連結する弾性変形可能なヒンジ部(１８)とするとともに、前記中間筒部(１６)の残りの平面視Ｃ字形の帯状部分(２０)に、主分離線(２２)を介して前記基筒部(１２)及び帽筒部(３６)と連続する開封バンド(Ｂ)を形成し、この開封バンド(Ｂ)に付設した摘み部(３２)を操作することにより、前記開封バンド(Ｂ)を除去して、前記基筒部(１２)に対して前記帽筒部(３６)を開放することが可能とした封緘キャップにおいて、
前記主分離線(２２)は、前記開封バンド(Ｂ)の上辺及び下辺を設けた一対の横向き主分離線(２４Ａ、２４Ｂ)と、開封バンド(Ｂ)の周方向の両側辺を延びる一対の縦向き主分離線(２６Ａ、２６Ｂ)とからなり、
前記開封バンド(Ｂ)にさらに補助分離線(３０)を設け、
この補助分離線(３０)は、前記開封バンド(Ｂ)の周方向の一部に、前記一対の縦向き主分離線の一方(２６Ａ)との間に折り返し代(Ｍ)を残して、前記一対の横向き主分離線(２４Ａ、２４Ｂ)と並行する横向き補助分離線(３０ｂ)を含み、
前記開封バンド(Ｂ)が、少なくとも、前記一対の主横向き主分離線の一方(２４Ａ)及び横向き補助分離線(３０ｂ)の間の第１細帯部分(ｂ１)と、前記一対の主横向き主分離線の他方(２４Ｂ)及び横向き補助分離線(３０ｂ)の間の第２細帯部分(ｂ３)と、前記一対の縦向き主分離線の一方(２６Ａ)及び前記横向き補助分離線(３０ｂ)の間にあって第１細帯部分(ｂ１)及び第２細帯部分(ｂ３)を連結させる折り返し部(ｂ２)とを包含するとともに、
この折り返し部(ｂ２)と反対側の第１細帯部分(ｂ１)の端部である始端部(ｅ１)を引き出すことが可能であるように形成されており、
前記始端部(ｅ１)には、前記摘み部(３２)が付設されていることを特徴とする、封緘キャップ。
【請求項２】
前記開封バンド(Ｂ)の一対の縦向き主分離線(２６Ａ、２６Ｂ)を、前記ヒンジ部(１８)の両側縁に配置することにより、前記帯状部分(２０)の全体を前記開封バンド(Ｂ)に形成したことを特徴とする、請求項１記載の封緘キャップ。
【請求項３】
前記補助分離線(３０)は、前記一対の横向き主分離線の一方(２４Ａ)の中間部から縦方向に延び、前記始端部(ｅ１)の輪郭の一部である縦向き補助分離線(３０ａ)を含み、この縦向き補助分離線(３０ａ)の先端から折り返し周方向一方へ前記横向き補助分離線(３０ｂ)が延びており、
前記開封バンド(Ｂ)は、前記縦向き補助分離線(３０ａ)に対して前記折り返し部(ｂ２)と反対側に位置しかつ前記第２細帯部分(ｂ３)と連結された広帯部分(ｂ４)を含むことを特徴とする、請求項２に記載の封緘キャップ。
【請求項４】
前記広帯部分(ｂ４)を、周方向に短い短手部(Ｓ)に、また前記第１細帯部分(ｂ１)と前記第２細帯部分(ｂ３)と前記折り返し部(ｂ２)とで形成されるバンド部分を、短手部(Ｓ)に比べて相対的に長い長手部(Ｌ)にそれぞれ形成したことを特徴とする、請求項３に記載の封緘キャップ。
【請求項５】
前記広帯部分(ｂ４)を、周方向に長い長手部(Ｌ)に、また前記第１細帯部分(ｂ１)と前記第２細帯部分(ｂ３)と前記折り返し部(ｂ２)とで形成されるバンド部分を、長手部(Ｌ)に比べて相対的に短い短手部(Ｓ)にそれぞれ形成したことを特徴とする、請求項３に記載の封緘キャップ。
【請求項６】
口頸部(８)を起立する容器体(２)と、請求項１から請求項５のいずれかに記載の封緘キャップ(１０)とからなり、
前記口頸部(８)に前記封緘キャップ(１０)の基筒部(１２)を離脱不能に嵌着させたことを特徴とする、封緘容器。
【発明の詳細な説明】
【技術分野】
【０００１】
本発明は、封緘キャップ及び封緘容器に関する。
【背景技術】
【０００２】
この種の封緘キャップとして、容器体の口頸部外面への嵌着用の基筒部から上方へ延出する中間筒部の上周端を、有頂筒状の帽筒部の下周端に連設させるとともに、
前記中間筒部の後端部を、前記基筒部及び帽筒部を連結する薄肉のヒンジ部に、中間筒部の前半部を、分離線を介して前記基筒部及び帽筒部と連続する開封バンドにそれぞれ形成し、かつ開封バンドとヒンジ部との間の中間筒部分の上端を、弱化線を介して前記帽筒部の下端に連結させ、前記開封バンドの周方向の端部に付設した摘み部を操作することにより、開封バンドを除去した後に、帽筒部を開方向へ引っ張ると、前記弱化線が破断され、帽筒部を解放することが可能に形成したものが知られている（特許文献１）。
なお前記摘み部は、基筒部の筒軸から見て、ヒンジ部から９０度離れた方向（左右方向）に配置されている。このような構成とすると、封緘キャップを金型で成形する際に摘み部を金型のパーティングライン上に配置することにより、型抜きが容易となるからである。
【先行技術文献】
【特許文献】
【０００３】
【特許文献１】特開２００９−２８６４５９
【発明の概要】
【発明が解決しようとする課題】
【０００４】
特許文献１のものは、開封バンドの周方向の端部に付設された摘み部を周方向一方へ引っ張ることで開封バンドを除去するように構成されているから、開封バンドを設けることができる箇所に設計上の制約がある。例えば前述のように基筒部の筒軸に対してヒンジ部と摘み部とを９０度離すとすると、当該摘み部を起点として周方向へ開封バンドが延びると、前記中間筒部の全周のうちでヒンジ部及び開封バンドでカバーできない部分が生ずる。
そこで特許文献１では、ヒンジ部の両側に開封バンドとは別に中間筒部の上端と帽筒部の下端とを破断可能に接続する弱化線を設けているが、この構成では、開封バンドを除去した後に帽筒部を開方向へ回転させるときに、弱化線を破断させなければならず、開蓋操作に余分な力が必要となる。
また特許文献１では、一枚の帯板である開封バンドを周方向一方のみに引っ張ることで、これを基筒部及び帽筒部から引き千切るようにしているが、その際に切断箇所で開封バンドを変形させることになる。このため、開封バンドの上下の幅が大き過ぎると、これを引きちぎることに大きな力が必要となり、高齢者や子供など指の力が弱い利用者にとっては扱いにくい。その反面、開封バンドの上下の幅が小さ過ぎると、不正に開封バンドが除去されたときに、不正開封の痕跡（開封バンドの欠落）がそれほど目立たず、需要者に気づかれない可能性がある。
【０００５】
本発明の第１の目的は、小さい力で操作することができる封緘キャップ及び封緘容器を提供することである。
本発明の第２の目的は、開封バンドの設計上の自由度が大きい封緘キャップ及び封緘容器を提供することである。
【課題を解決するための手段】
【０００６】
第１の手段は、
容器体２の口頸部８外面への嵌着用の基筒部１２から上方へ延出する中間筒部１６の上周端を、有頂筒状の帽筒部３６の下周端に連設させるとともに、
前記中間筒部１６の周方向の一部を、前記基筒部１２及び帽筒部３６を連結する弾性変形可能なヒンジ部１８とするとともに、前記中間筒部１６の残りの平面視Ｃ字形の帯状部分２０に、主分離線２２を介して前記基筒部１２及び帽筒部３６と連続する開封バンドＢを形成し、この開封バンドＢに付設した摘み部３２を操作することにより、前記開封バンドＢを除去して、前記基筒部１２に対して前記帽筒部３６を開放することが可能とした封緘キャップにおいて、
前記主分離線２２は、前記開封バンドＢの上辺及び下辺を設けた一対の横向き主分離線２４Ａ、２４Ｂと、開封バンドＢの周方向の両側辺を延びる一対の縦向き主分離線２６Ａ、２６Ｂとからなり、
前記開封バンドＢにさらに補助分離線３０を設け、
この補助分離線３０は、前記開封バンドＢの周方向の一部に、前記一対の縦向き主分離線の一方２６Ａとの間に折り返し代Ｍを残して、前記一対の横向き主分離線２４Ａ、２４Ｂと並行する横向き補助分離線３０ｂを含み、
前記開封バンドＢが、少なくとも、前記一対の主横向き主分離線の一方２４Ａ及び横向き補助分離線３０ｂの間の第１細帯部分ｂ１と、前記一対の主横向き主分離線の他方２４Ｂ及び横向き補助分離線３０ｂの間の第２細帯部分ｂ３と、前記一対の縦向き主分離線の一方２６Ａ及び前記横向き補助分離線３０ｂの間にあって第１細帯部分ｂ１及び第２細帯部分ｂ３を連結させる折り返し部ｂ２とを包含するとともに、
この折り返し部ｂ２と反対側の第１細帯部分ｂ１の端部である始端部ｅ１を引き出すことが可能であるように形成されており、
前記始端部ｅ１には、前記摘み部３２が付設されている。
【０００７】
本手段では、封緘キャップ１０の基筒部１２及び帽筒部３６に主分離線２２を介して連続する開封バンドＢに関して、開封バンドＢの上辺及び下辺に沿って一対の横向き主分離線２４Ａ、２４Ｂを、開封バンドＢの周方向の側辺に沿って一対の縦向き主分離線２６Ａ、２６Ｂを形成するとともに、開封バンドＢが少なくとも第１細帯部分ｂ１と第２細帯部分ｂ３と折り返し部ｂ２とを包含するように仕切る補助分離線３０を設けることを提案している。
補助分離線３０は、次の要件を満たすように形成されている。
（a）前記開封バンドＢの周方向の一部に、前記一対の縦向き主分離線の一方２６Ａとの間に折り返し代Ｍを残して、前記一対の横向き主分離線２４Ａ、２４Ｂと並行する横向き補助分離線３０ｂを含むこと。
（b）前記開封バンドＢが、少なくとも、
・前記一対の主横向き主分離線の一方２４Ａ及び横向き補助分離線３０ｂの間の第１細帯部分ｂ１と、
・前記一対の主横向き主分離線の他方２４Ｂ及び横向き補助分離線３０ｂの間の第２細帯部分ｂ３と、
・前記一対の縦向き主分離線の一方２６Ａ及び前記横向き補助分離線３０ｂの間にあって第１細帯部分ｂ１及び第２細帯部分ｂ３を連結させる折り返し部ｂ２と、
を包含すること。
（c）この折り返し部ｂ２と反対側の第１細帯部分ｂ１の端部である始端部ｅ１を引き出すことが可能であること。
そして前記始端部ｅ１には、摘み部３２が付設されており、この摘み部３２を引っ張ると、始端部を破断の起点として、第１細帯部分ｂ１、折り返し部ｂ２、第２細帯部分ｂ３が順次開封バンドＢの周囲の構造から引き千切られることにより、開封バンドＢを上下２弾に分断しながら取り外すことができる。幅の細い帯は、幅の広い帯よりも小さい力で変形させることができる。したがって開封バンドＢの少なくとも一部が、始端部ｅ１を含む第１細帯部分ｂ１及び第２細帯部分ｂ３との２段構造となっており、かつ両者を連結する折り返し部ｂ２を設けるという着想により、開封バンドＢを小さな力で開封することができる。
なお、図示例の開封バンドＢは、第２細帯部分ｂ３と連結された広帯部分ｂ４をさらに含んでいるが、これは前記着想に必須ではないため、開封バンドＢの全体を第１細帯部分ｂ１と第２細帯部分ｂ３と折り返し部ｂ２とで形成しても構わない。
【０００８】
「中間筒部」は、封緘キャップの基筒部１２と帽筒部３６との間の部位であり、上方から見て周方向の一部であるヒンジ部１８と、残りの部分であるＣ字形の帯状部分２０とからなる。図示例では、帯状部分２０の全体を開封バンドＢとしているが、特許文献１のようにヒンジ部１８と反対側の半周部分を開封バンドＢとし、ヒンジ部１８と開封バンドＢとの間の中間筒部の上端を、弱化線を介して帽筒部の下端に連続させた構造も本手段の技術的範囲に含まれる。
「分離線」とは、本明細書において、開封バンドＢの全体又は一部を周囲から分離する機能を有していれば足り、例えば薄肉の弱化線やミシン目として形成することができる。ミシン目の切れ目の一つを長くしてスリットとしても構わない。
「主分離線」は、開封バンドＢを、その周囲の構造から切り離すための分離線であり、開封バンドＢの四辺に沿って形成されている。
「補助分離線」は、開封バンドＢを、第１細帯部分ｂ１と第２細帯部分ｂ３と折り返し部ｂ２との順番で順次引き千切るために形成された分離線である。
図示例の補助分離線は、上下一対の横向き主分離線の一方２４Ａから縦方向に延びる縦向き補助分離線３０ａをさらに含み、この縦向き補助分離線３０ａの先端から前記折り返し部ｂ２へ前記横向き補助分離線３０ｂが延びている。そうすることで、縦向き補助分離線３０ａに対して折り返し部ｂ２と反対側に広帯部分ｂ４を形成しているが、広帯部分ｂ４を省略する場合には、縦向き補助分離線３０ａを設けずに、一対の縦主分離線２２の他方（折り返し部ｂ２と反対側の分離線）に横向き補助分離線３０ｂを連続させれば良い。
【０００９】
第２の手段は、第１の手段を有し、かつ前記開封バンドＢの一対の縦向き主分離線２６Ａ、２６Ｂを、前記ヒンジ部１８の両側縁に配置することにより、前記帯状部分２０の全体を前記開封バンドＢに形成した。
【００１０】
本手段では、前記開封バンドＢの一対の縦向き主分離線２６Ａ、２６Ｂを、前記ヒンジ部１８の両側縁に配置することにより、前記帯状部分２０の全体を前記開封バンドＢに形成している。この構成によれば、前記特許文献１のように、封緘キャップの周方向のうちヒンジ部と開封バンドとの間で中間筒部の上端と帽筒部３６の下端とを弱化線を介して連続させた構造に比べて、開封バンドを除去した後に帽筒部３６を開方向へ回転させる際に、弱化線を破断させるために回転操作が硬くなる（回転抵抗が大きくなる）ことを回避することができる。
この構成とする場合には、前記主分離線２２のうち、少なくとも前記ヒンジ部１８の両側縁と重なる一対の縦向き主分離線２６Ａ、２６Ｂをスリットとすることが望ましい。そうすることで、開封バンドＢを引き千切るときの力がヒンジ部１８に作用し、ヒンジ部１８を損傷させることを防止するためである。
【００１１】
第３の手段は、第１の手段又は第２の手段を有し、かつ
前記補助分離線３０は、前記一対の横向き主分離線の一方２４Ａの中間部から縦方向に延び、前記始端部ｅ１の輪郭の一部である縦向き補助分離線３０ａを含み、この縦向き補助分離線３０ａの先端から前記折り返し部ｂ２側へ前記横向き補助分離線３０ｂが延びており、
前記開封バンドＢは、前記縦向き補助分離線３０ａに対して前記折り返し部ｂ２と反対側に位置しかつ前記第２細帯部分ｂ３と連結された広帯部分ｂ４を含む。
【００１２】
本手段では、前記補助分離線３０は、前記一対の横向き主分離線の一方２４Ａの中間部から縦方向に延び、前記始端部ｅ１の輪郭の一部である縦向き補助分離線３０ａを含む。この縦向き補助分離線３０ａの先端から前記折り返し部ｂ２側へ前記横向き補助分離線３０ｂが延びている。そして、前記開封バンドＢの一部として、前記縦向き補助分離線３０ａに対して前記折り返し部ｂ２と反対側に位置させて、前記第２細帯部分ｂ３と連結された広帯部分ｂ４を形成している。
この構成とすることにより、前記始端部ｅ１に付設された摘み部３２の周方向両側に亘って開封バンドＢを形成することができる。この形態は、前述の通り、基筒部１２の筒軸に対して前記ヒンジ部１８と前記摘み部３２とを約９０度離れた位置に配置する構成とするときに有利である。
なお、前記広帯部分ｂ４は、第２細帯部分ｂ３に続いて同じ方向へ引き千切ることができ、第２細帯部分ｂ３の引き出しの余勢を利用して引き千切ることができるので、広帯部分ｂ４を外方へ引き出す労力を緩和することができる。
【００１３】
第４の手段は、第３の手段を有し、かつ
前記広帯部分ｂ４を、周方向に短い短手部Ｓに、また前記第１細帯部分ｂ１と前記第２細帯部分ｂ３と前記折り返し部ｂ２とで形成されるバンド部分を、短手部Ｓに比べて相対的に長い長手部Ｌにそれぞれ形成した。
【００１４】
本手段では、図１に示す如く、広帯部分ｂ４を、周方向に短い短手部Ｓとし、他方、前記第１細帯部分ｂ１と前記第２細帯部分ｂ３と前記折り返し部ｂ２とで形成されるバンド部分を、短手部Ｓに比べて相対的に長い長手部Ｌとしている。このようにすることで、より小さな力で破断できる、第１細帯部分ｂ１及び第２細帯部分ｂ３が２段に重なった範囲を広くすることができる。
【００１５】
第５の手段は、第３の手段を有し、かつ前記広帯部分ｂ４を、周方向に長い長手部Ｌに、また前記第１細帯部分ｂ１と前記第２細帯部分ｂ３と前記折り返し部ｂ２とで形成されるバンド部分を、長手部Ｌに比べて相対的に短い短手部Ｓにそれぞれ形成した。
【００１６】
本手段では、図７に示す如く、広帯部分ｂ４を、周方向に長い長手部Ｌとし、他方、前記第１細帯部分ｂ１と前記第２細帯部分ｂ３と前記折り返し部ｂ２とで形成されるバンド部分を、長手部Ｌに比べて相対的に短い短手部Ｓとした。こうすることにより、第１細帯部分ｂ１と折り返し部ｂ２と第２細帯部分ｂ３と広帯部分ｂ４とが順次引き出されたときの全長を短くすることができ、従って広帯部分ｂ４を短手部Ｓとした構成と比較して、開封バンドＢを除去する作業を相対的に手早く行うことができる。
【００１７】
第６の手段は、封緘容器であって、
口頸部８を起立する容器体２と、第１の手段から第５の手段のいずれかに記載の封緘キャップ１０とからなり、
前記口頸部８に前記封緘キャップ１０の基筒部１２を離脱不能に嵌着させている。
【００１８】
本手段では、容器体２の口頸部８に基筒部１２を嵌着させた封緘キャップ１０の構成として、第１の手段から第５の手段のいずれかに記載された封緘キャップ１０を採用したから、僅かな力で開封バンドＢを除去することができる。
【発明の効果】
【００１９】
第１の手段に係る発明によれば、封緘キャップ１０の基筒部１２及び帽筒部３６と連続する開封バンドＢの周方向の一部に、前記一対の縦向き主分離線の一方２６Ａとの間に折り返し代Ｍを残して、前記一対の横向き主分離線２４Ａ、２４Ｂと並行する横向き補助分離線３０ｂを設け、前記開封バンドＢは、少なくとも、前記一対の主横向き主分離線の一方２４Ａ及び横向き補助分離線３０ｂの間の第１細帯部分ｂ１と、前記一対の主横向き主分離線の他方２４Ｂ及び横向き補助分離線３０ｂの間の第２細帯部分ｂ３と、これら第１細帯部分ｂ１及び第２細帯部分ｂ３を連結させる折り返し部ｂ２とを含むから、第１細帯部分ｂ１の始端部ｅ１に付設した摘み部３２を引っ張ることで、より小さな力で開封バンドＢを除去することができる。
第２の手段に係る発明によれば、前記開封バンドＢの一対の縦向き主分離線２６Ａ、２６Ｂを、前記ヒンジ部１８の両側縁に配置することで前記帯状部分２０の全体を前記開封バンドＢに形成したから、開封バンドＢを除去した後に、前記特許文献１の如く、帽筒部を開方向へ回転する操作が硬くなることがない。
第３の手段に係る発明によれば、前記開封バンドＢに、前記一対の横向き主分離線の一方２４Ａの中間部から縦方向に延び、前記始端部ｅ１の輪郭の一部である縦向き補助分離線３０ａを形成しており、この縦向き補助分離線３０ａの先端から前記折り返し部ｂ２側へ前記横向き補助分離線３０ｂが延びており、前記開封バンドＢは、前記縦向き補助分離線３０ａに対して前記折り返し部ｂ２と反対側に位置しかつ前記第２細帯部分ｂ３と連結された広帯部分ｂ４を含むから、前記始端部ｅ１に付設された摘み部３２の両側に亘る広い範囲に開封バンドＢを設けることができる。
第４の手段に係る発明によれば、前記広帯部分ｂ４を、周方向に短い短手部Ｓに、また前記第１細帯部分ｂ１と前記第２細帯部分ｂ３と前記折り返し部ｂ２とで形成されるバンド部分を、短手部Ｓに比べて相対的に長い長手部Ｌにそれぞれ形成したから、小さい引張り力で剥離できる範囲が広くなり、握力の弱い利用者にとって操作し易い。
第５の手段に係る発明によれば、前記広帯部分ｂ４を、周方向に長い長手部Ｌに、また前記第１細帯部分ｂ１と前記第２細帯部分ｂ３と前記折り返し部ｂ２とで形成されるバンド部分を、長手部Ｌに比べて相対的に短い短手部Ｓにそれぞれ形成したから、摘み部３２を引いて開封バンドＢを破断させたときの第１細帯部分ｂ１と第２細帯部分ｂ３と折り返し部ｂ２と広帯部分ｂ４との全長が短くなり、開封操作を手早く行うことができる。
第６の手段に係る発明によれば、開封バンドＢにＬ字形の補助分離線３０を設けた封緘キャップ１０を封緘容器に組み込んだから、手指の力の弱い利用者にも利用し易い。
【図面の簡単な説明】
【００２０】
【図１】本発明の第１実施形態に係る封緘容器の背面図である。
【図２】図１の封緘容器の平面図である。
【図３】図１の封緘容器の主要部を説明するための図であり、同図（Ａ）は、側方から見た一部断面図であり、同図（Ｂ）は前記封緘容器の封緘キャップの全周をパノラマ状に展開して示す説明図である。
【図４】図１の封緘容器の斜視図であり、同図（Ａ）は斜め後方から見た斜視図、同図（Ｂ）は斜め前方から見た斜視図である。
【図５】図１の封緘容器の使用方法の説明図であり、同図（Ａ）は開封作業の第１段階を示す図であり、同図（Ｂ）は開封作業の第２段階を示す図である。
【図６】図１の封緘容器の使用用法の説明図であり、同図（Ａ）は開封作業の第３段階を示す図であり、同図（Ｂ）は開蓋状態の断面図である。
【図７】本発明の第２実施形態に係る封緘容器の背面図である。
【図８】図７の封緘容器の平面図である。
【図９】図７の封緘容器の側方から見た一部断面図である。
【図１０】図７の封緘容器の斜視図であり、同図（Ａ）は斜め後方から見た斜視図、同図（Ｂ）は斜め前方から見た斜視図である。
【図１１】図７の封緘容器の使用方法の説明図であり、同図（Ａ）は開封作業の第１段階を示す図であり、同図（Ｂ）は開封作業の第２段階を示す図であり、同図（Ｃ）は開封作業の第３段階を示す図である。
【発明を実施するための最良の形態】
【００２１】
図１から図６は、本発明の第１実施形態に係る封緘容器を示している。この封緘容器は、容器体２と、封緘キャップ１０とで形成されている。これら各部材は、例えば合成樹脂材で形成することができる。
説明の都合上、まず封緘容器の基本的な構造を説明する。
【００２２】
容器体２は、図３（Ａ）に示す如く、胴部４から肩部６を介して口頸部８を起立している。
前記口頸部８には、下側の第１環状凹部８ａと上側の第２環状凹部８ｂとを係合凸部８ｃを境としてそれぞれ周設するとともに、上端部を縮径部８ｄに形成している。図示例では、第１環状凹部８ａに比べて第２環状凹部８ｂを深く形成しており、かつ第２環状凹部８ｂの裏側に平らな当接面９を形成している。
なお、容器体に収納する製品に特に制限はなく、例えばガム、クリーム、錠剤・液体などなんでも収納することができる。
【００２３】
封緘キャップ１０は、基筒部１２と、中間筒部１６と、帽筒部３６とで形成されている。図示例では、これら各筒部は同径であり、各筒部の外周面はほぼ面一に形成されているが、これらの形態は適宜変更することができる。
【００２４】
前記基筒部１２は、容器体２の口頸部８に離脱不能に嵌着されている。ここで「離脱不能」とは、少なくとも帽筒部３６を上方へ引っ張ったときに後述の主分離線２２を破断させずに基筒部１２を口頸部８から離脱させることができないという意味である。図示例では、前記基筒部１２は、前記第１環状凹部８ａの上下両側に跨るように嵌合されており、かつ基筒部１２の上端内面に付設された第１係止凸部１４を、前記第１環状凹部８ａの上端に係止させている。もっともこれらの構造は、適宜変更することができる。
【００２５】
前記中間筒部１６は、前記基筒部１２の上端から上方へ延設されており、かつ前記帽筒部３６の筒周壁３８に連続している。中間筒部１６は、図１に示す如く、周方向の一部（図示例では後部）であるヒンジ部１８と、平面視Ｃ字形であり、帽筒部３６及び基筒部１２に対して破断可能な帯状部分２０とならなり、この帯状部分に、主分離線２２で囲まれた開封バンドＢを設けている。帯状部分２０の構造に関しては後述する。
なお、本明細書では、図２に示す平面図の下側（ヒンジ部１８がある側）を“後”とし、同図の上側を“前”と、同図の左右両側を、“左右”と称するものとする。
前記ヒンジ部１８は、弾性変形が可能であり、前記基筒部１２及び帽筒部３６の各後部に連結されている。図示例のヒンジ部１８は、薄肉のヒンジ板に形成されているが、その構造は適宜変更することができる。
前記中間筒部１６は、図３（Ａ）に示すように、前記第２環状凹部８ｂと向かい合うように配置されている。
【００２６】
前記帽筒部３６は、筒周壁３８の上端に頂板４２を張設した有頂筒状であり、その筒周壁３８の下周端を、前記中間筒部１６の上周端に連設している。
図３（Ａ）に示す如く、前記筒周壁３８は、前記口頸部８の上部を囲んでいる。この筒周壁３８の内面下部には、前記第２環状凹部８ｂの上端に係止させた第２係合凸部４０が付設されている。前記筒周壁３８の前部には、指掛け部４４が付設されている。
前記頂板４２の裏面からは、前記口頸部８の内面に打栓される栓筒部４６が垂下されている。図示例の栓筒部４６は、前記口頸部８の当接面９に密嵌されており、栓筒部４６の後壁部の下部には、切欠き４６ａが形成されている。この切欠き４６ａを設けた理由は、前記当接面９に対する栓筒部４６の着脱を容易にするためである。
【００２７】
本発明においては、前記封緘キャップ１０の中間筒部１６に、補助分離線３０付きの開封バンドＢを形成している。本実施形態において、中間筒部１６のうちヒンジ部１８を除く帯状部分２０の全体を前記開封バンドＢとしている。
【００２８】
前記開封バンドＢは、周方向に細長い長方形に形成され、図示例において当該長方形の下辺に形成された第２横向き主分離線２４Ｂを介して基筒部１２に連続しかつその上辺に形成された第１横向き主分離線２４Ａを介して帽筒部３６に連続し、さらに周方向の両側辺に形成された第１縦向き主分離線２６Ａ及び第２縦向き主分離線２６Ｂを介してヒンジ部１８に連続している。もっともこれらの構造は適宜変更することができる。
前記補助分離線３０は、図３（Ａ）に示す如く、第１横向き主分離線２４Ａの中間部から開封バンドＢの上下幅の途中位置まで垂下する縦向き補助分離線３０ａと、この縦向き補助分離線３０ａの下端から第１縦向き主分離線２６Ａの側へ水平に延びる横向き補助分離線３０ｂとで形成されている。この横向き補助分離線３０ｂの先端と第１縦向き主分離線２６Ａとの間には、図１に示す如く、折り返し代Ｍをとるものとする。
主分離線２２及び補助分離線３０を設けることにより、前記開封バンドＢは、
（イ）第１横向き主分離線２４Ａ及び横向き補助分離線３０ｂの間に形成される第１細帯部分ｂ１と、
（ロ）第２横向き主分離線２４Ｂ及び横向き補助分離線３０ｂの間に形成される第２細帯部分ｂ３と、
（ハ）前記一対の縦向き主分離線の一方２６Ａ及び前記横向き補助分離線３０ｂの間にあって第１細帯部分ｂ１及び第２細帯部分ｂ３を連結させる折り返し部ｂ２と、
（ニ）前記縦向き補助分離線３０ａに対して前記折り返し部ｂ２と反対側に位置しかつ前記第２細帯部分ｂ３と連結された広帯部分ｂ４と
を有する。
この構成を、中間筒部１６の全周をパノラマ状に展開して図３（Ｂ）に示す。好適な図示例では、第１細帯部分ｂ１及び第２細帯部分ｂ３の上下幅を同じにしているが、その形態は適宜変更することができる。
このように構成することにより、前記開封バンドＢは、図５（Ａ）、図５（Ｂ）、及び図６（Ａ）に示す如く、第１細帯部分ｂ１→折り返し部ｂ２→第２細帯部分ｂ３→広帯部分ｂ４の順序で引き千切り、一連の紐状に展開することができる。
この一連の紐状構造の始端部ｅ１を、図２に示す如く、前記縦向き補助分離線３０ａ寄りの第１細帯部分ｂ１の端部とし、その終端部ｅ２は、前記第２縦向き主分離線２６Ｂ寄りの広帯部分ｂ４の端部とする。
前記始端部ｅ１には、摘み部３２を付設する。図示の摘み部３２は、図１に示す如く、始端部ｅ１から外方へ突出する突起部３２ａと、この突起部の先端から周方向両側へ延びる摘み片３２ｂとで形成されている。好適な図示例では、図４（Ｂ）に示す如く、広帯部分ｂ４のうち摘み片３２ｂの下側に位置する箇所に傾斜面３１を形成して、摘み片３２ｂを摘み易くしている。
好適な図示例では、図１に示すように、前記第１縦向き主分離線２６Ａ及びこの分離線の上下両端に連なる第１横向き主分離線２４Ａ及び第２横向き主分離線２４Ｂの各端部を、コ字形の第１スリット２８Ａを形成している。この第１スリット２８Ａは、前記折り返し部ｂ２の外側を囲っており、これにより開封バンドＢを破断させる際に、前記折り返し部ｂ２を外方へ引き出すことが容易となる。
また第２縦向き主分離線２６Ｂは直線状の第２スリット２８Ｂを形成する。第１横向き主分離線２４Ａ及び第２縦向き主分離線２６Ｂは、ヒンジ部１８の周方向の両側縁を形成しており、これらをスリットとして穿設することにより、前記開封バンドＢを破断させる際にヒンジ部１８が損傷することを防止できる。
【００２９】
前記摘み部３２は、好適な図示例では、前記基筒部１２の筒軸に対してヒンジ部１８から約９０度離れた位置に、すなわち、封緘キャップ１０の左右方向に配置することが望ましい。そうすることで、図２に点線で示す金型のパーティングラインＰ上に摘み部３２が位置するように設計することにより、指掛け部４４を含む封緘キャップ１０の前半部外面を成形する金型と、ヒンジ部を含む封緘キャップ１０の後半部の外面を成形する金型とを前後方向に外すことができ、型抜きが容易となる。
【００３０】
前記摘み部３２を基筒部１２の筒軸に対してヒンジ部１８から約９０度離れた位置に設置するためには、図３（Ｂ）に示す如く、前記開封バンドＢのうちで前記摘み部３２より周方向の一方に位置するバンド部分を、中間筒部１６の全周長さの約３／４程度の長手部Ｌに形成し、また周方向の他方に位置するバンド部分を、中間筒部１６の全周長さの約１／４程度の短手部Ｓに形成すると良い。
本実施形態では、前記長手部Ｌに、第１細帯部分ｂ１と第２細帯部分ｂ３と折り返し部ｂ２を形成し、短手部Ｓを広帯部分ｂ４に形成している。これにより、第１細帯部分ｂ１及び第２細帯部分ｂ３が２段に重なるために小さな力で破断できる範囲が広くなる。
なお、図示例では、第１帯板部分ｂ１を上側に、また第２帯板部分ｂ２を下側に配置しているが、開封バンドの第１横向き主分離線２４Ａ、第２横向き分離線２４Ｂ，縦向き補助分離線３０ａ、第１帯板部分ｂ１及びまた第２帯板部分ｂ２の相互の位置関係を上下反転させた構造としても、同様の作用が得られる。
【００３１】
前記構成において、図３（Ａ）に示す状態から前記摘み部３２を摘まんで、長手部Ｌ側へ引張り、さらに図５（Ａ）に矢示するように後外方へ引き出すと、長手部Ｌにおいて第１横向き主分離線２４Ａ及び横向き補助分離線３０ｂが破断することにより、第１細帯部分ｂ１が折り返し部ｂ２付近まで引き出される。
前記破断箇所が折り返し部ｂ２に到達した後に、摘み部３２を引っ張る方向を後外方から中間筒部１６の半径方向外側へ変えると、折り返し部ｂ２の回りには第１スリット２８Ａが穿設されているため、図５（Ｂ）に示すように、折り返し部ｂ２が外側へ引き出され、次に摘み部３２を前外方へ引っ張ると、第２横向き主分離線２４Ｂが破断することにより、第２細帯部分ｂ３が引き出される。
第２細帯部分ｂ３の全体が引き出された後も摘み部３２を同じ方向へ引っ張ると、短手部Ｓにおいて第１横向き主分離線２４Ａ及び第２横向き主分離線２４Ｂが破断することにより、広帯部分ｂ４が外側へ引き出される。破断箇所が第２縦向き補助分離線３０ａとして形成された第２スリットに到達すると、広帯部分ｂ４が封緘キャップ１０から完全に離脱し、開封バンドＢが除去される。
なお、第１細帯部分ｂ１及び第２細帯部分ｂ３は引き出し作業の途中で変形するが、単一の開封バンドを引き出す場合と比べて、上下方向の巾が小さいため、引き出しに要する力は小さい。
また開封バンドを除去する作業は、破断箇所が折り返し部に至るまでは従来の技術と同じであるので、従来品に慣れた使用者にとっても戸惑いが少ない。
【００３２】
以下、本発明の他の実施形態に係る封緘容器を説明する。これらの説明において第１実施形態と同じ構成に関しては解説を省略する。
【００３３】
図７から図１１は、本発明の第２実施形態に係る封緘容器を示している。本実施形態では、第１実施形態と異なり、図７に示す如く、短手部Ｓに、第１細帯部分ｂ１と第２細帯部分ｂ３と折り返し部ｂ２を形成し、また図１０に示す如く、長手部Ｌを広帯部分ｂ４に形成している。
この構成では、図８の状態から摘み部３２を引っ張って、開封バンドＢを毟り取るときに、第１細帯部分ｂ１、折り返し部ｂ２、第２細帯部分ｂ３、広帯部分ｂ４の順序で引き出される点は同じであるが、図９に示す状態から、摘み部３２を、第１実施形態とは逆に短手部Ｓ側へ引張り、同図の図１１（Ａ）、図１１（Ｂ）及び図１１（Ｃ）に示す引き出し操作の始めの段階で短手部Ｓが破断し、引き出し操作の後の段階で長手部Ｌが破断されることが異なる。
これにより、第１細帯部分ｂ１と折り返し部ｂ２と第２細帯部分ｂ３と広帯部分ｂ４とが一連の紐状体として引き出されたときに、その紐状体の全長を短くすることができ、開封バンドＢの除去作業を手早く行うことができる。
【符号の説明】
【００３４】
２…容器体  ４…胴部  ６…肩部  ８…口頸部  ８ａ…第１環状凹部
８ｂ…第２環状凹部  ８ｃ…係合凸部  ８ｄ…縮径部  ９…当接面
１０…封緘キャップ  １２…基筒部  １４…第１係止凸部
１６…中間筒部  １８…ヒンジ部  ２０…帯状部分
２２…主分離線
２４Ａ…第１横向き主分離線  ２４Ｂ…第２横向き主分離線  
２６Ａ…第１縦向き主分離線  ２６Ｂ…第２縦向き主分離線  
２８Ａ…第１スリット  ２８Ｂ…第２スリット
３０…補助分離線  ３０ａ…縦向き補助分離線  ３０ｂ…横向き補助分離線
３１…傾斜面
３２…摘み部  ３２ａ…突起部  ３２ｂ…摘み片
３６…帽筒部  ３８…筒周壁  ４０…第２係合凸部  ４２…頂板
４４…指掛け部  ４６…栓筒部  ４６ａ…切欠き
Ｂ…開封バンド  ｂ１…第１細帯部分  ｂ２…折り返し部  ｂ３…第２細帯部分  
ｂ４…広帯部分  ｅ１…始端部  ｅ２…終端部
Ｌ…長手部  Ｍ…折り返し代  Ｐ…パーティングライン  Ｓ…短手部
【図１】
2019172290.tif 000003
【図２】
2019172290.tif 000004
【図３】
2019172290.tif 000005
【図４】
2019172290.tif 000006
【図５】
2019172290.tif 000007
【図６】
2019172290.tif 000008
【図７】
2019172290.tif 000009
【図８】
2019172290.tif 000010
【図９】
2019172290.tif 000011
【図１０】
2019172290.tif 000012
【図１１】
2019172290.tif 000013